(57)【要約】本発明は、髪を保護するように設計された長いキャップ（１）に関する。本発明のキャップは、第１のポーチ（４）と第２のポーチ（５）とを形成するように、長い側縁（２）の１つと複数の短い側縁（３）とに沿って互いに取着された、ほぼ平行６面体の側壁を有している。第１のポーチは、長いキャップの基端部に位置され、キャップを形成しており、第２のポーチは、長いキャップの先端部に位置され、自由状態の髪（６）の束のための収容部を形成している。本発明は、これの両端部に、互いに接触されることができる相補的な固定手段（９）が設けられていることで特徴付けられている。この固定手段は、髪が中に位置された後に、頭部の周りにこのキャップを閉じる。このために、先端部は、キャップの長軸を中心として１８０°ひねられ、次に、基端部をカバーするように基端部へと折られる。
2007502919.tif 000002
【特許請求の範囲】
【請求項１】
第１のポケットと第２のポケットとを形成するように、長い側縁のうちの１つと２つの短い側縁のうちの１つとに沿って互いに取着された、平行６面体の形状の２つの側壁で形成されている、髪を保護するための細長い形状の長いキャップであって、前記第１のポケットは、キャップを形成し、長いキャップの基端部に配置されており、前記第２のポケットは、長いキャップの先端部に配置され、自由状態の髪の束のための収容部を形成しており、これら両端部には、髪が長いキャップ中に位置された後に、この長いキャップの長軸を中心として前記先端部をひねり、次に、前記基端部をカバーするようにこの先端部を折ることによって、長いキャップを頭部の周りで閉じるように、互いに接触して位置されることが可能な相補的な固定手段が設けられている、長いキャップ。
【請求項２】
前記固定手段は、スナップ装着ボタンのシステムからなっている請求項１の長いキャップ。
【請求項３】
前記固定手段は、ループとボタンとのシステムからなっている請求項１の長いキャップ。
【請求項４】
前記固定手段は、Ｖｅｌｃｒｏ（登録商標）として知られているような、ループとホックとの布手段による装着システムからなっている請求項１の長いキャップ。
【請求項５】
台形形状を有し、即ち、一方を他方へと収束させ、かくして、長いキャップのための可変の深さを規定するような一般的な方向付けを果たす２つの大きな側縁を有し、前記基端部のポケットは、最も深い一方の前記側縁に位置されている請求項１ないし４のいずれか１の長いキャップ。
【請求項６】
前記２つの側壁は、縫い合わせによって互いに取着されている請求項１ないし５のいずれか１つの長いキャップ。
【請求項７】
前記側壁は、使い捨て用の不織物で形成されている請求項１ないし６のいずれか１つの長いキャップ。
【請求項８】
長いキャップの前記両端部の少なくとも一方近くに位置された、前記側壁の不縫いエッジの少なくとも一部には、ギャザーが設けられている請求項１ないし７のいずれか１つの長いキャップ。
【請求項９】
前記ギャザーは、弾性を有している請求項８の長いキャップ。
【発明の詳細な説明】
【技術分野】
【０００１】
本発明は、髪を保護し、乾かすための簡単な装着の長いキャップに関する。
【背景技術】
【０００２】
通常、髪の長い女性は、シャワー、若しくはお風呂から出たときに髪を保護したてり乾かしたりしなければならない。このために、女性は、大きなタオルを使用して、タオルをこれの長軸に沿って髪に巻くことによって、髪の束をくるむ。次に、タオルの自由端部を、後方へと頭部の周りで折って、場合によっては、安全ピン等を用いて所定の位置に保持する。
【０００３】
全く同様で同一な方法が、ヘアーサロン、並びにビューティーサロンで使用されている。ビューティーサロンでは、特に、製品が、しばしば顔に塗られる必要があるが、髪と接触してはならない。かくして、このような場合に、髪に巻かれるタオルは、また、保護材としての役割を果たす。
【０００４】
このような方法は、難しく、不測の結果をもたらし、人が、タオルを外すことなく、タオルに巻かれる全ての髪をほぼ確実にくるむことができるようになるまでには、ある程度の練習を必要とする。
【０００５】
このような問題を解決するために、タオルの対角線の１つに沿って折られ、この形状部の側縁の２つに渡って部分的に縫われ、かくして得られる、最も小さな側縁部を含んだタオルが提案されている。特許出願ＧＢ２２４８３９１Ａに説明されているこのようなタオルは、複数の主要な欠点を有しており、これら欠点には、指摘された形状が原因で、中央の折り部中に髪を正確に保持させることができない可能性を含んでいる。さらに、頭部のためのキャップを形成している端部に、タオルの自由端部を取着させることを望み得るためには、この特許出願の図３に示されているように、タオルを髪に複数回巻きつける必要があり、これは、特に難しい。
【発明の開示】
【発明が解決しようとする課題】
【０００６】
かくして、本発明の主な目的は、経済的に製造され、人の長い髪を、できるだけ容易にキャップ中に一緒にまとめることによって所定の位置に保持させることを可能にし、そして、自身に閉じるための一体的な手段を有するシンプルなキャップを提供することである。
【課題を解決するための手段】
【０００７】
所定の位置に保持される髪は、人が髪を洗ったばかりのときに濡れており、髪が、保護のために一緒にまとめられているときに乾かされることができる。
【０００８】
本発明の目的は、髪を保護するための細長い形状の長いキャップによって達成される。このキャップは、第１のポケットと第２のポケットとを形成するように、長い側縁のうちの１つと２つの短い側縁の１つとに沿って互いに装着された、平行６面体の形状の２つの側壁で形成されている。前記第１のポケットは、キャップを形成し、長いキャップの基端部に位置されており、前記第２のポケットは、長いキャップの先端部に位置され、自由状態の髪の束のための収容部を形成している。この長いキャップは、これの両端部に、互いに接触して位置されることが可能な相補的な固定手段が設けられていることで特徴付けられている。この固定手段は、髪が長いキャップ中に位置された後に、この長いキャップの長軸を中心として先端部を１８０°ひねり、次に、基端部をカバーするようにこの先端部を折ることによって、長いキャップを頭部の周りで閉じるようになっている。
【０００９】
この長いキャップの側壁の平行６面体の形状が、２つのポケット、即ち基端部のポケットと先端部のポケットとを形成することを可能にしている。これらポケットは、これらの延出部内に位置された中間部によって一緒に接続されている。この中間部は、また、髪を所定の位置に保持させる役割を果たしている。これにも関わらず、特に、髪が、長いキャップの全長よりも長い場合に、自由状態の髪の束は、主に、先端部のポケットによって保持されるであろう。
【００１０】
前記固定手段は、スナップ装着ボタン、若しくはループとボタンとのシステムで構成されても良いし、代わって、Ｖｅｌｃｒｏ（登録商標）として知られているようなループとホックとの布手段を使用した装着システムで構成されても良い。
【００１１】
この長いキャップは、ほぼ台形形状を有していることが好ましい。即ち、この長いキャップは、互いに収束させ、かくして、キャップのための可変の深さを規定するような一般的な方向付けを果たす２つの大きな側縁を有し、第１のポケットは、最も深い一方の側縁に位置されている。
【００１２】
本発明の好ましい実施形態において、前記２つの側壁は、縫い合わせによって互いに取着されている。これにも関わらず、他の固定手段の可能性が、特に、側壁を製造するために使用される材料の機能として想定され得る。かくして、少なくとも部分的に溶融され得る材料（例えば、熱可塑性のファイバーを含む不織物）で形成された側壁の場合、熱溶接によって２つの側壁を組み合わせることが可能であろう。
【００１３】
本発明の一実施形態において、前記側壁は不織物で形成されており、このため、長いキャップは、使い捨て用で意図されている。これにもかかわらず、長いキャップは、長いキャップの乾燥機能をより効果的に与えるタオル地タイプの吸収性のある布で形成されることが十分に可能である。
【００１４】
好ましくは、長いキャップの両端部の少なくとも一方近くに位置された、側壁の不縫いエッジの少なくとも一部には、ギャザーが設けられている。このギャザーは、弾性を有していることが好ましい。
【００１５】
正確に理解されるために、本発明は、本発明に従った髪を保護するための長いキャップの特定の実施形態を非限定的な例として示している添付の概略的な図面に関して、詳細に説明されるであろう。
【発明を実施するための最良の形態】
【００１６】
図１ないし図３に示されているように、本発明に従った長いキャップ１は、細長い形状を有している。このキャップは、第１のポケット４と第２のポケット５とを形成するように、長い側縁２のうちの１つと、２つの短い側縁３のうちの１つとに沿って互いに取着された、平行６面体の一般的な形状の２つの側壁で形成されている。前記第１のポケットは、キャップを形成している、長いキャップの基端部に位置されており、第２のポケットは、長いキャップの先端部に位置され、自由な状態の髪６の束(floating mass of hair)を一緒に入れることを可能にしている。
【００１７】
前記先端部のポケット５は、キャップを形成している基端部のポケット４よりも小さい容積を有している。さらに、長いキャップの外形が、平行６面体の外形と見なされた場合にも関わらず、快適度を向上させるために、特にキャップを形成している基端部で、適度に丸められた所定の角度部７を規定することが可能である。
【００１８】
前記２つのポケット、即ち基端部のポケット４と先端部のポケット５とは、これらの延出部に位置された中間部８によって一緒に接続されている。この中間部は、また、所定の位置に髪を保持するような役割を果たしている。これにも関わらず、特に、髪が、長いキャップの全長よりも長い場合、自由な状態の髪６の束と毛先とは、主に、先端部のポケット５によって保持されるであろう。
【００１９】
長いキャップの２つの両端部には、互いに接触して位置されることができる相補的な固定手段９が設けられている。これら固定手段は、髪が長いキャップ中に位置された後に、この長いキャップの長軸を中心として先端部を１８０°ひねり、次に、基端部をカバーするようにこの先端部を折ることによって、長いキャップを頭部の周りで閉じるようになっている。
【００２０】
図１ないし図３に示された実施形態において、前記固定手段は、スナップ装着ボタン(press studs)９ａ，９ｂのシステムからなっている。雄型スナップボタン９ａは、基端部４（キャップの後部）の外面に位置され、雌型の部分９ｂは、先端部５の内面へと位置されている。
【００２１】
前記２つの側壁は、縫い合わせによって一緒に取着され、また、不織物からなっている。このため、長いキャップは、使い捨て用として意図されている。
【００２２】
長いキャップの基端部近くに位置された側壁の不縫いエッジの一部には、弾性のギャザー部１０が設けられている。
【００２３】
図２ないし図５に示されているように、本発明に従った長いキャップの位置決めは、非常に簡単である。
【００２４】
最初に、図２に示されているように、頭部が前方に傾けられ、髪が前方に垂らされなければならない。
【００２５】
次に、長いキャップの基端部が、帽子のように、頭部を覆って位置されるように、長いキャップが、頭部を滑るようにかぶされなければならない。そして、髪６の先端部が、長いキャップ中に位置されなければならない。特に、髪の長さが、長いキャップの長さを超えている場合、先端部のポケット５は、図３に示されているように、超えた長さの部分の髪を収容するのに十分な容積を与えている。
【００２６】
次に、長いキャップの先端部が、図４に示されているように、長いキャップの長軸を中心として１８０°ねじられなければならない。そして、この先端部が、後方に曲げられ、かくして、図５に示されているように、基端部をカバーしなければならない。
【００２７】
かくして、２つのスナップ装着ボタンを互いに向かい合わせ、長いキャップを頭部の周りで完全に閉じることは容易である。
【００２８】
明らかに、本発明は、一例として上述された実施形態に限定されず、また反対に、全ての変更を包含する。かくして、長いキャップの形状とディメンションとは、異なる髪の長さに適用可能なように変更されることができる。
【図面の簡単な説明】
【００２９】
【図１】側面から見た本発明の概略的な斜視図である。
【図２】長いキャップが頭部に位置される前の開成状態の構造を示している、本発明の概略的な前面図である。
【図３】長いキャップが頭部に位置された後の開成状態の構造を示している、本発明の概略的な側面図である。
【図４】長いキャップが頭部に位置された後の部分的な閉成状態の構造を示している、本発明の概略的な側面図である。
【図５】長いキャップが頭部に位置された後の完全に閉成された状態の構造を示している、本発明の概略的な側面図である。
【図１】
2007502919.tif 000003
【図２】
2007502919.tif 000004
【図３】
2007502919.tif 000005
【図４】
2007502919.tif 000006
【図５】
2007502919.tif 000007
【国際調査報告】
2007502919.tif 000008
2007502919.tif 000009
2007502919.tif 000010
2007502919.tif 000011